(57)【要約】【課題】  各種水処理の濾過装置において、濾過材を取り出すことなく生物膜やアメーバ及びスライムの付着状況を監視する機能を持ち、スライムが付着しにくくなる構造とした濾過タンクを提供する。【解決手段】  濾過タンクの濾過材の上部や下部などに透過性のある材料を使用した生物膜監視窓を取り付けて常時視認を可能とすると共に、タンク内面の下部集水板とタンク側面の接続部をＲ構造として衛生的な構造とした事を特徴とする。【選択図】  図１
2005205380.tif 000002
【特許請求の範囲】
【請求項１】
温浴施設や水景施設などに使用される水処理設備の濾過装置において、生物膜やスライムを目視点検する目的や、圧力空気注入装置を備えた濾過装置で逆洗浄時のエアレーションによる濾過材の流動化と生物膜の破壊状況を目視点検する目的において、濾過材と接する側面の各所やタンクの底部側面等に、透過性のある材料を使用した生物膜監視窓又はフランジ等のタッピングによる視認及び接触が可能な点検口を有することを特徴とする濾過タンク及びそれを備えた濾過装置。
【請求項２】
前記記述の濾過タンクの濾過材と接触する側面及び濾過タンクの各所に、アメーバや生物膜及び細菌類の検査のためのアメーバ等検水コック又はドレインを備えたことを特徴とする濾過装置。
【請求項３】
前記記述の濾過タンクの集水板真上部及び集水板下部鏡部内の完全排水を目的として、双方の側面にドレインを備えたことを特徴とするシステム。
【請求項４】
前記記述の濾過装置の濾床支持材として、洗浄時のスライム除去を容易とするために、濾過タンク下部の集水板に直に濾過材が触れないように、硬い繊維状のスポンジや空隙率の大きな緩衝材等を敷く積層方法又は中が空洞で上下外側がスリットやメッシュ等のボックスを置く底上げ方式としたシステム。
【請求項５】
前記記述の濾過タンクにおいて、スライムや生物膜が付着し残存することを防ぐ目的で、タンク底部集水板上部とタンク側面の接続部を円周状にＲ構造として丸みをつけることを特徴とし、デッドスペースをなくしたことによって逆洗効率をアップし、衛生的な構造としたタンクの形状とそれを使用した濾過装置。
【発明の詳細な説明】
【発明の詳細な説明】
【産業上の利用分野】
【０００１】  本発明は、水処理設備の濾過装置に於ける衛生的なタンクの構造と新しい技術に関する。
【背景技術】
【０００２】  従来の砂濾過タンクの内部構造は殆んど一様で、永い間基本的に変わっていない。最近、レジオネラ菌を初めとして各種アメーバ等の生物膜が、濾過タンクに最も繁殖していることが知られてきた。しかしながらタンクの基本構造は変わらず、その生物膜ができ易い理由が、その構造的欠陥にある事は余り知られていない。また、生物膜やスライムは、タンクの下部や集水板外周部に溜まり易いのであり、それらを確認する術がなかった。
【発明が解決しようとする課題】
【０００３】  温浴施設でレジオネラ症等の感染症を防ぐには「生物膜（バイオフィルム）」を取り除く事、なるべく付着させない構造とする事が最も重要である。
濾過タンクが抱える構造的欠陥とは、スライムがタンク下部や底部の外周部に溜まり易い形状となっている事であり、集水ノズルの配置に比して外側のコーナー部が直角的となっている事にある。
また、濾材表面の状態を視認する為のタンク上部の監視窓は鋼板製のタンク等に見受けられるが、濾材の表面は逆洗さえ行なわれていれば殆んどきれいな状態を保てるのであり、表面が汚れて逆洗してもクリーンにならなくなったときには濾材は末期的症状なのである。従来型の濾材確認窓では、濾材の中身を見る事はできない。真に確認すべき箇所は、タンクの底の濾過材の状況及び最上部の０．４〜０．６ｍｍの中層部及び１段下の濾過材との境目である。
【課題を解決するための手段】
【０００４】  本発明は、生物膜やスライムを容易に視認できる生物膜監視機能付の濾過タンクと、スライムが付着しにくい構造を提供する。
濾過タンクの種類には、ＦＲＰ製、鋼板製、ステンレス製等があるが、内部構造は基本的に同じである。
一般に、上部の鏡（蓋部）と底部の鏡（底部）で圧力容器を構成しており、底部の鏡の上部にフラットな丸い板がのせられて集水板として底板の役目を果たしている。集水板には処理能力に比した個数の集水ノズルが取りつけられる。
この集水板上部の外周部が特にデッドスペースであるため、スライムが溜まり易い。従って生物膜やスライムを視認する為に、この位置に透過性のある材料の生物膜監視窓を取りつけると、最も汚れ易い部分の濾材を取り出す事なく確認する事が可能となる。視るだけでなく、ボルトを外すと一部を取り出す事もできる。この生物膜監視窓は、濾過材の種類や用途によってどの位置に取りつける事も可能である。濾過材の上部付近にフランジ型の確認窓を取りつけると、上部の大きな蓋を外す事なく、８０〜１００Ａ程度のフランジボルトを外すだけで手を突っ込んで濾材の表面を触る事もできる。これらは全て、大がかりなメンテナンスではなく、設備管理者が容易に濾材をチェックできる事、即ち日常的な管理を可能とするものである。これらは固まりやすい温泉の濾過機などにも有効である。
【０００５】  濾過タンクのドレインは構造上タンクの底部側面から取り出している事が多いが、これは完全排水ができない事を意味する。わずかに残った残水部分がクリーン化を妨げ、スライム発生のデッドスペースとなる。
また、通常集水板の下の鏡部からドレインを取り出すのであるが、実は集水板の上部にも残水が残るのである。殆んどの集水ノズルの形状では完全排水が不可能である。従って集水板上部のドレインも考慮すべきである。集水板の上下双方にドレインがあって、完全な排水が可能となる。これらは生物膜やアメーバの検水コックに流用できるものとする。
【０００６】  砂濾過等の積層した濾材は、下から上に段々細かくなるように積まれている。最上部の濾材は風呂用で直径０．６ミリ前後、プール用で直径０．４５ミリ前後である。下部の濾材は全て、その最上部の濾材の支持材であり、底部の２〜３層は玉砂利が敷かれている。前述のように、通常集水板の上部は完全排水ができない構造であり、そこに敷かれた玉砂利の周囲にスライムが蓄積する。従って、下部の支持材を集水ノズルから離す事ができれば、底部のスライムも除去しやすくなる。よって、本発明ではプラスチックやステンレス製のメッシュやスリットのボックスを最下部に敷いて５０〜１００ミリ程度底上げ方式としている。最も近い支持濾材が落ちない程度のメッシュ或いはスリットで１０〜１５ミリ程度の隙間としている。
また、濾過タンクの底部だけでなく、支持材と濾過材の間や、最上部の濾過材と２段目の濾過材の間にもアメーバや生物膜が繁殖しやすい。これらの部位にアメーバ検査用のコックを取り付けることも可能としている。
【０００７】  集水板の外周部がデッドスペースである事は前述したが、この欠点をカバーする為に角をＲ構造として、コーナー部を無くしている。スライムが溜まりにくく、洗浄しやすい構造としている。
【発明を実施するための最良の形態】
【０００８】  以下、本発明の実施の形態について説明する。
図１において、１と４が生物膜監視窓である。１は上部の濾過材を監視するもので、４は集水板の上部を監視する配置としている。これらの監視する窓を配置する場所は、監視する目的と使用する濾過材によって変えて使用することが可能である。通常２の濾過水入口と５の濾過水出口が正面で、１及び４は左側面に配置している。濾過タンクの右側は、通常熱交換器等がセットされてユニットとなるため、ポンプ側である左側が邪魔にならない。
生物膜監視窓の材質は、図１の場合は透明なアクリルフランジを使用した例である。市販のフランジと本体フランジの間に透明のアクリル板を挟み込んでも同様の目的で使用できる。またこれらのフランジは取り外し可能としている。
図２に生物膜監視窓の拡大図を示す。アクリルの透明フランジ１は、タンク側面の内側のところまで厚みがあり、タンク内面とフラットとなるように設計されている。４のパッキンと３の押さえ板で挟み、２のボルトで締め付けている。タンク本体側をフランジ型としたときは、相フランジに透明のアクリル板を用いることで同様の目的を果たせる構造となる。この際に、アクリル中央部は本体フランジ部内部を埋めて、図２の使用例と同様に胴体側面とフラットとなるように取り付ける。【０００９】  図３で示すように、タンク下部の３の集水板より上部の排水のために１のドレインを設けた。集水板より下の鏡部の排水と濾過水出口の役目を果たす２のタッピングを鏡部の底面に取り付けなければならない。いずれもタンク内の水を完全排水するための措置である。【００１０】  図４に濾過タンク底部に緩衝材を敷いた例を示した８の集水ノズル付近に７の緩衝材を敷くことによって空隙の大きなものとしている。集水ノズルの間に小さな支持材が詰まり、洗浄が妨げられることがあるからである。また、底部に６のスリット状の仕切りを備えたボックス状のものを設置すると、集水ノズル周辺が開いて洗浄しやすくなり、衛生的な構造となる。
また、図４において、１の細粒濾過砂と３の粗粒濾過砂の間やタンク底部などに５のようにアメーバ等検水コックを取り付けておくと、濾過タンクの中の状況がさらに把握できるようになる。【００１１】  図５に濾過タンクの内部断面図を示した。１及び３で示すのが、Ｒ構造としたコーナー部である。通常はここにスライムや生物膜が溜まる。この部分は殆んど水が流れず、デッドスペースとなっているからである。予めこのように樹脂を埋めてＲ構造としていることにより、スライムの堆積を防止すると共に、衛生的な構造となっている。
【発明の効果】
【００１２】  本発明の効果は、大別して次の３点である。
イ）  生物膜監視窓（覗き窓）による衛生管理を可能とした。
ロ）  濾過タンク内部のアメーバ等検水コックによる生物膜や菌類の検査監視を可能とした。
ハ）  濾過タンク下部の集水板と側面の接続部をＲ構造としたことで、衛生的になった。
【００１３】イ）  これまでは濾過材を取り出さない限り、内部を見ることはできなかった。風呂濾過においては、３年から５年以上の長期間濾過材を変えていない施設はざらであり、プールにおいてはさらに長い。見えないために危険性に気づかず、野放しとなってきたのである。
ロ）  逆洗やエアレーション等で、濾過材や汚れを流動化させ、その水を採取すると生物膜や、スライムの付着状況がわかる。
ハ）  Ｒ構造となって角がなくなると、スライムが溜まりにくい構造となり、逆洗効率もアップするため、結果的に短時間で少量の水で逆洗が終了する。
【図面の簡単な説明】
【００１４】
【図１】本発明の実施の形態で、一般的な濾過タンクの内部断面図である。
【符号の説明】
１．上部生物膜監視窓（覗き窓）
２．濾過水入口
３．集水板上部ドレイン
４．底部生物膜監視窓（覗き窓）
５．集水板下部ドレイン＆濾過水出口
【図２】
本発明の実施の形態で、濾過タンク内の配管接続図である。
【符号の説明】
１．生物膜監視窓（覗き窓）
２．固定ボルト
３．押さえ板
４．パッキン
【図３】
本発明の実施の形態で、タンクのドレイン接続図である。
【符号の説明】
１．集水板上面ドレイン
２．集水板下面ドレイン
３．集水板
【図４】
本発明の実施の形態で、濾過材の積層状況と底部に緩衝材又はボックスを設けた図例である。
【符号の説明】
１．細粒砂濾過材
２．濾過タンク
３．粗粒砂濾過材
４．濾床材
５．アメーバ等検水コック
６．スリット仕切板
７．緩衝材
８．集水ノズル
【図５】
本発明の実施の形態で、濾過タンク内の断面図である。
【符号の説明】
１．Ｒ構造樹脂
２．タンク底部ドレイン
３．Ｒ構造樹脂
【図１】
2005205380.tif 000003
【図２】
2005205380.tif 000004
【図３】
2005205380.tif 000005
【図４】
2005205380.tif 000006
【図５】
2005205380.tif 000007